(57)【要約】段ボールのウエブ又は板から段ボールのブランク（１０）を打ち抜き、またこのブランクに折り目ライン（５）を形成する装置である。この装置は、互いの方向に回転する２個のシリンダ（２，３）を有しており、これらシリンダの少なくとも一方の外面には湾曲した木製板（６）を設ける。打ち抜きツール及び折り目ライン形成ツール（８，９）は、木製板（６）のスリットに圧入することにより木製板に装着する。これらシリンダ（２，３）は、好ましくは鋼鉄である金属から形成する。木製板（６）は、ねじ（１５）でねじ付けることによりシリンダ（２，３）に固定する。木製板は、シリンダ上の２個の調整可能なリング（４）によりシリンダ上で心決めする。各リング（４）には、軸線方向に指向する案内突出部（４ａ，４ｂ）を設け、これら突出部が木製板の端部切欠き（６ａ，６ｂ）と相互に作用するようにする。このようにして、木製板、従って打ち抜きツールを、シリンダの垂直中心面に対して極めて容易に心決めすることができる。
2005516815.tif 000002
【特許請求の範囲】
【請求項１】
段ボールのウエブ又は板から段ボールのブランク（１０）を打ち抜き、このブランクに折り目ライン（５）を形成する装置であって、互いの方向に回転する２個のシリンダ（２，３）の少なくとも一方の外面に合板から形成するのが好ましい湾曲した木製板（６）を設けたシリンダと、この木製板（６）のスリットに圧入することにより木製板に装着した打ち抜きツール及び折り目ライン形成ツール（８，９）とを設けた装置において、
前記シリンダ（２，３）を好ましくは鋼鉄とする金属により形成し、前記木製板をシリンダに例えばねじ（１５）でねじ付けることにより固定し、前記シリンダ上の好ましくは２個とする少なくとも１個の調整可能のリング（４）であって、前記木製板の端部切欠き（６ａ，６ｂ）と相互作用するようにした軸線方向に指向する案内突出部（４ａ，４ｂ）を各々設けたリング（４）により、前記木製板をシリンダ上に心決めすることを特徴とする折り目ライン付き段ボールブランク打ち抜き装置。
【請求項２】
前記リング（４）のうち少なくとも１個を、シリンダ（２，３）上で例えば液圧により自動的に回転させるか、軸線方向に移動させるか、或いはこれらの双方を行う手段に連結した請求項１に記載の装置。
【請求項３】
前記湾曲した木製板（６）をシリンダの表面の凹部に装着した請求項１又は２に記載の装置。
【請求項４】
一方のシリンダ（２）の木製板（６）にナイフの形態の雄型打ち抜きツール（８）を設けた請求項１乃至３のいずれか一項に記載の装置。
【請求項５】
他方のシリンダ（３）に、このシリンダ（３）の湾曲した木製板に装着した雌型打ち抜きツール（９）を設けた請求項１乃至４のいずれか一項に記載の装置。
【発明の詳細な説明】
【技術分野】
【０００１】
本発明は、段ボールのウエブからブランクを打ち抜き、このブランクに折り目ラインを形成する装置であって、互いの方向に回転する２個のシリンダの少なくとも１個の外面に合板から形成するのが好ましい湾曲した木製板を設けたシリンダと、この木製板のスリットに圧入することにより木製板に装着した打ち抜きツール及び折り目ライン形成ツールとを設けた装置に関するものである。
【０００２】
本明細書において「木製板」の用語は、プラスチック、随意的に強化プラスチックからも形成することのできる板という極めて広い意味で解釈されるべきものである。
【０００３】
従来技術
段ボールのウエブから段ボールのブランク打ち抜くための、互いの方向に回転する２個のシリンダを有する回転打ち抜き装置は既知のものである。一方のシリンダに木製板を装着し、これにより、打ち抜き動作を行うのに必要な打ち抜きツールを支持する。しかし、この装置は完全に満足な動作をするものではなく、その理由は、木製板を心決め（中心位置調整）すること、つまり打ち抜きツールをシリンダ上で心決めすることができず、シリンダ間を通過する段ボールのウエブに対しこの打ち抜きツールを正確に位置決めできないためである。
【０００４】
発明の開示
本発明の目的は、シリンダに対して、木製板従って打ち抜きツールを極めて容易に心決めし得る上述した種類の装置を得るにある。
【０００５】
本発明による装置は、シリンダを好ましくは鋼鉄とする金属により形成し、木製板をシリンダに例えばねじ付けることによりシリンダに固定するもので、シリンダ上の好ましくは２個とする少なくとも１個の端部リングであって、木製板の端部切欠きと相互作用するようにした軸線方向に指向する案内突出部を各々設けたリングにより、木製板をシリンダ上で心決めすることを特徴とするものである。このようにすることにより、一方の端部リング又は他方の端部リングを僅かに回転させるか、或いは軸線方向に短い距離だけ移動させることにより、シリンダに対して及び装置を通過する段ボールのウエブに対して木製板の打ち抜きツールを正確に所望の位置に圧入して、木製板を心決めするのが極めて容易なものとなる。木製板の心決め操作の際には、例えば幾つかのねじを緩めることにより木製板をシリンダに対して僅かに緩めねじを再度締め付ける。
【０００６】
本発明によれば、端部リングの少なくとも１個を、自動的に例えば液圧によりシリンダ上での軸線方向移動又は回転を行う手段に連結することができ、それにより木製板の調整、従ってシリンダ上での打ち抜きツールの位置決めが極めて簡単且つ確実なものとなる。
【０００７】
さらに、本発明によれば、湾曲した木製板をシリンダの表面の凹部に装着することができ、その結果シリンダに対する木製板の安定性が向上する。
【０００８】
本発明によれば、一方のシリンダにナイフの形態の雄型打ち抜きツールを設けるのが有利である。
【０００９】
本発明によれば、他方のシリンダには、このシリンダの湾曲した木製板に装着した雌型打ち抜きツールを設けるのが有利である。雄型打ち抜きツールと雌型打ち抜きツールとが相互に作用しうるようにするとさらに有利である。
【００１０】
最後に、本発明によれば、リングはシリンダ上の端部リングにより形成するのが有利である。
図面を参照して本発明を以下に詳細に説明する。
【００１１】
発明を実施する最良の形態
図１に示す装置は、段ボール供給部１に配置した段ボールの板又は段ボールのウエブから段ボールのブランクを打ち抜くのに適したものである。ブランクを打ち抜く際に、ブランクに折り目ラインも形成する。例えば、これらの折り目ラインは、図５の点線５に示すように位置させることができる。
【００１２】
図２に示すように、装置は、互いの方向に回転する２個のシリンダ２，３を有しており、少なくとも一方のシリンダ２又は３の外面に湾曲した木製板６を設ける（図４参照）。上述した打ち抜きツール及び折り目ライン形成ツールは、木製板６の凹面のスリットに圧入することにより木製板に装着する。打ち抜きツール及び折り目ライン形成ツールは、様々な打ち抜きの目的に応じて異なる外観となるため、目的毎に特定の木製板を製造する必要があり、このような特定の木製板は、適正な形状を有し且つ適正な位置に折り目ラインを有するレディーメイドの打ち抜きブランクを作るために、適正な位置、即ち打ち抜きライン形成手段及び折り目ライン形成手段を挿入すべき位置にスリットを設けておく。
【００１３】
これらシリンダ２，３は、好ましくは鋼鉄である金属から形成し、木製板６は、例えば、ねじ１５又はねじ継ぎ手によりねじ付けることにより関連するシリンダに固定する。木製板６を、関連するシリンダの垂直中心面Iに対して心決め（心出し）するのが困難な場合がある。しかし、この問題は、軸線方向に指向する案内突出部４ａ，４ｂを有する調整可能な薄肉リング４であって、これら突出部が木製板の端部切欠き６ａ，６ｂと相互に作用するようにした薄肉リング４を少なくとも１個、好ましくは２個設けることにより解決する（図６参照）。シリンダの長手方向におけるリング４の位置は、例えばねじにより調整することができる。
【００１４】
任意ではあるが、リング４は、例えば摺動ピストンを有する流体回路によりシリンダ上でリング４を、自動回転させたり、軸線方向に移動させたり又はこれらの双方の動作をさせたりする手段に連結することができる。しかし、リングは、比較的短い距離においてのみ動くようにするのが好ましい。任意ではあるが、リング４を端部リングとすること、つまり、リングをシリンダ２のそれぞれの端部に配置することができる。
【００１５】
木製板６は湾曲させ、シリンダ２又は３の表面にある凹部に埋め込むことができるが、凹部については図示していない。凹部の底面も円筒状にして、シリンダ表面が木製板の凹面と整合するようにする。通常は木製板より凹部を長くして、凹部内で木製板を軸線方向に動かすことができるようにする。
【００１６】
任意ではあるが、シリンダ２及び３の双方に木製板６を設けることができる。このことは、特に、シリンダ２上の木製板にナイフ形態の雄型ツール８を設ける場合に言える。このとき、シリンダ３の木製板には、雌型打ち抜きツール９を設けることができる（図１参照）。
【００１７】
図１及び３は、どのようにして常に一番上にある段ボール板１ａを、１組の送り出しローラ１２ａ，１２ｂのクランプ領域に矢印Ｂの方向で引き込み得るようにするかを示す。段ボールの前進ローラまでの送りは、段ボールを吸引し水平方向に前進させることのできる真空送給装置１４により行う。段ボール板が送り出しローラ１２ａ，１２ｂに達すると、段ボールは送り出しローラによりシリンダ２及び３間の開口に押し出され、その後これらシリンダの打ち抜きツール及び折り目ライン形成ツールが、ブランクを打ち抜くと共にブランクに折り目ラインを付ける。このようにして処理したブランク（図５参照）と残りの材料とを、矢印Ａ（図１）の方向に送る。ブランクは既知の方法で収集する。
【００１８】
本発明を、段ボール板からブランクを打ち抜くことに関して説明してきたが、本発明は、段ボールのロールから引き出される連続的な段ボールウエブについても同様に良好に行いうるものである。
【００１９】
リング４に関して、径方向に測定したリングの厚さは湾曲した木製板６の厚さより小さくすることに注意されたい。
本発明は、本発明の範囲を逸脱することなく種々に変更することができる。
【図面の簡単な説明】
【００２０】
【図１】図１は、本発明による装置の実施例の線図的側面図である。
【図２】図２は、本発明による装置の実施例の線図的正面図である。
【図３】図３は、本発明による装置の実施例の線図的頂面図である。
【図４】図４は、回転シリンダの拡大斜視図である。
【図５】図５は、本発明による装置において打ち抜いたブランクを示す線図である。
【図６】図６は、湾曲した木製板の正面図である。
【図１】
2005516815.tif 000003
【図２】
2005516815.tif 000004
【図３】
2005516815.tif 000005
【図４】
2005516815.tif 000006
【図５】
2005516815.tif 000007
【図６】
2005516815.tif 000008
【手続補正書】
【提出日】平成16年10月14日(2004.10.14)
【手続補正１】
【補正対象書類名】特許請求の範囲
【補正対象項目名】請求項１
【補正方法】変更
【補正の内容】
【請求項１】
段ボールのウエブ又は板から段ボールのブランク（１０）を打ち抜き、このブランクに折り目ライン（５）を形成する装置であって、互いの方向に回転する２個のシリンダ（２，３）の少なくとも一方の外面に合板から形成するのが好ましい湾曲した木製板（６）を設けたシリンダと、この木製板（６）のスリットに圧入することにより木製板に装着した打ち抜きツール及び折り目ライン形成ツール（８，９）とを設けた装置において、
前記シリンダ（２，３）を好ましくは鋼鉄とする金属により形成し、前記木製板をシリンダに例えばねじ（１５）でねじ付けることにより固定し、前記シリンダ上の２個の調整可能のリング（４）であって、少なくとも一方のリング（４）が自動的に回転可能又は軸線方向移動可能となっており、前記木製板の端部切欠き（６ａ，６ｂ）と相互作用するようにした軸線方向に指向する案内突出部（４ａ，４ｂ）を各々設けたリング（４）により、前記木製板をシリンダ上で心決めすることを特徴とする折り目ライン付き段ボールブランク打ち抜き装置。
【手続補正２】
【補正対象書類名】明細書
【補正対象項目名】０００３
【補正方法】変更
【補正の内容】
【０００３】
従来技術
米国特許第5,641,551号及び同国特許第6,162,115号明細書は、段ボールのウエブから段ボールのブランク打ち抜くための、互いの方向に回転する２個のシリンダを有する既知の回転打ち抜き装置を開示している。一方のシリンダに木製板を装着し、これにより、打ち抜き動作を行うのに必要な打ち抜きツールを支持する。しかし、この装置は完全に満足な動作をするものではなく、その理由は、木製板を心決め（中心位置調整）すること、つまり打ち抜きツールをシリンダの中央上で心決めすることができず、シリンダ間を通過する段ボールのウエブに対しこの打ち抜きツールを正確に位置決めできないためである。上記明細書は、一方のシリンダに調整リングを用いることを開示していない。上記米国特許第6,162,115号明細書は特に一方のシリンダを金属製とすることについて開示するものである。
【手続補正３】
【補正対象書類名】明細書
【補正対象項目名】０００５
【補正方法】変更
【補正の内容】
【０００５】
本発明による装置は、シリンダを好ましくは鋼鉄とする金属により形成し、木製板をシリンダに例えばねじ付けることによりシリンダに固定するもので、シリンダ上の２個の調整可能リングであって、少なくとも一方のリングが自動的に回転可能又は軸線方向移動可能となっており、木製板の端部切欠きと相互作用するようにした軸線方向に指向する案内突出部を各々設けたリングにより、木製板をシリンダ上で心決めすることを特徴とするものである。このようにすることにより、一方の端部リング又は他方の端部リングを僅かに回転させるか、或いは軸線方向に短い距離だけ移動させることにより、シリンダに対して及び装置を通過する段ボールのウエブに対して木製板の打ち抜きツールを正確に所望の位置に圧入して、木製板を心決めするのが極めて容易なものとなる。木製板の心決め操作の際には、例えば幾つかのねじを緩めることにより木製板をシリンダに対して僅かに緩めねじを再度締め付ける。
【国際調査報告】
2005516815.tif 000009
2005516815.tif 000010
2005516815.tif 000011